(57)【特許請求の範囲】
【請求項１】
情報伝達紙片によって情報伝達機能ならびにコミュニケーションツール機能を備える筆記手帳であって、
前記筆記手帳は、手帳部と表紙カバーからなる綴じ手帳ならびにシステム手帳の形態を有して形成され、
前記手帳部は前記表紙カバーの高さ寸法を短小とする形状で綴じ込まれ、
該短小としたスペースに前記情報伝達紙片が留め具によって綴じ込まれたことを特徴とする情報伝達機能ならびにコミュニケーションツール機能を備える筆記手帳。
【請求項２】
前記情報伝達紙片が付箋紙で形成され、該綴じ込み側には前記留め具で綴じられる綴じ穴を設けると共に、該綴じ穴付近の小口側に設けられる剥離性接着部を挟んで第一のミシン目と第二のミシン目を設けて切り離し可能としたことを特徴とする請求項１記載の情報伝達機能ならびにコミュニケーションツール機能を備える筆記手帳。
【請求項３】
前記情報伝達紙片がメッセージカードで形成され、該綴じ込み側には前記留め具で綴じられる綴じ穴を設けると共に、該綴じ穴付近の小口側に切り離しスリットを挟んでファイリング穴を設けて切り離し可能とし、表面にはメールアドレス、携帯電話番号、氏名等の個人情報記入欄が設けられ、裏面にはメッセージ記入欄ならびにマトリックス型二次元コードまたは写真画像が貼付される画像貼付欄を設けたことを特徴とする請求項１記載の情報伝達機能ならびにコミュニケーションツール機能を備える筆記手帳。
【請求項４】
前記筆記手帳の表紙カバーの表面に透明カバーで覆われる小窓口を形成し、該裏面には名刺入れならびに手帳部の見返しが挿入されるポケット口を其々設け、表紙カバーの裏面内側には手帳部の見返しならびに電子磁気カード等が挿入される複数のポケット口を形成したことを特徴とする請求項１から請求項３の何れか記載の情報伝達機能ならびにコミュニケーションツール機能を備える筆記手帳。
【請求項５】
前記筆記手帳における手帳部が省略されて形成されると共に、前記情報伝達紙片と前記表紙カバーからなる綴じ手帳ならびにシステム手帳の形態を有して形成され、前記情報伝達紙片を構成する付箋紙ならびにメッセージカードが前記表紙カバー内に複数設けられて、該表紙カバーに列設された綴込穴を介して各情報伝達紙片が留め具によって夫々綴じ込まれることを特徴とする請求項１から請求項４の何れか記載の情報伝達機能ならびにコミュニケーションツール機能を備える筆記手帳。
【発明の詳細な説明】
【技術分野】
【０００１】
本発明は、付箋紙ならびにメッセージカード等の情報伝達紙片によって、情報伝達機能ならびにコミュニケーションツール機能を備える筆記手帳に関する。
【背景技術】
【０００２】
従来より日常的に使用されている手帳類は、筆記具を使用して管理する機能を専用に設計されたコンピュータ端末情報器をモバイル化した電子手帳と、予定管理や行動記録などを管理する用紙が冊子状に綴じられた綴じ手帳と、必要とする管理機能が記載されたリフィルをバインダー方式で差し替えることができるシステム手帳と、に大別される。
【０００３】
上記の電子手帳においては、情報の収集、整理、共有、記録ならびに伝達手段がインターネット回線を利用して多機能的に利用できるものであるが、該電子手帳自体が高価であることや、入力に際して一定のコンピュータの知識ならびに操作方法の修得が必要とされるものに対し、綴じ手帳やシステム手帳は、誰でもが簡単に筆記具で書き込みができる利便性がある反面、記録した筆記情報を多目的に外部に伝達する機能が備わっているものではなかった。
【０００４】
従来より、上記の綴じ手帳やシステム手帳における問題点を解決するべく、記録した情報を外部に伝達する手段として、差し替え式のカードを備えた筆記手帳が開発されている。例えば、テレホンカード、オレンジカード、乗車券、回数券、名刺等が収納可能な「カード入れ簡易手帳」（特許文献１）が提案されている。
【０００５】
しかしながら上記の「カード入れ簡易手帳」の提案は、内側に収納部を有する表紙と複数枚からなる綴り構成部からなる手帳であり、該手帳の全体または一部に横方向に亘ってミシン目が設けられている構造を有するカード入れ専用の簡易手帳であるため、スケジュールや日付毎の記録が記載される手帳部が備えられていないことによって長期的なスケジュール管理や過去に遡った情報の整理や確認ができないものであって、単なる手帳形態のメモ用紙入れに留まる提案であった。
【０００６】
また、普及型プリンタなどを用いて名刺などのカードを印刷した後、これを直接システム手帳に綴じ込んで携帯可能とするシステム手帳用リフィル作成用紙を使用した「システム手帳用リフィル作成用紙」（特許文献２）が提案されている。
【０００７】
しかしながら上記の「システム手帳用リフィル作成用紙」の提案は、システム手帳用リフィルのサイズに合わせて切断可能線を施した汎用サイズの用紙において、切断可能線によって囲まれた領域の一辺部に沿った綴じ代部に綴孔が設けられており、切断可能線によって囲まれた領域のうちの綴じ代部を除く領域には、綴じ代部からカードを切り離し可能とする切断可能線が施されているシステム手帳用リフィル作成用紙であるが、該提案はＡ４バイブルサイズのシステム手帳を使用することを前提としており、さらに名刺サイズのカードをミシン目よって切り離して使用する構造に限定して形成されているもので、本提案のように手帳部にスケジュールや日付毎の記録が記載される機能や付箋紙ならびにメッセージカード等の情報伝達紙片が筆記手帳に綴じ込まれる情報伝達機能ならびにコミュニケーションツール機能を備える筆記手帳とは、構造的に異なるものであった。
【０００８】
そこで記録した情報を外部に伝達する手段として、切り離し可能な付箋紙を利用した綴じ手帳やシステム手帳などの筆記手帳が開発されている。例えば、メモ書きされ一時的にいずれかの場所に貼り付けられた付箋を、システム手帳やバインダーにファイリングすることで、保存や反復的な閲覧を可能にする「ミシン目とリング穴を備えた機能拡張性の高い付箋」（特許文献３）が提案されている。
【０００９】
しかしながら上記の「ミシン目とリング穴を備えた機能拡張性の高い付箋」の提案は、付箋の片端付近に、折り曲げや切り離しを目的とした「ミシン目」と、この「ミシン目」によって線対称となる位置にファイリング用の１対以上の「リング穴」を設け、これによりまずミシン目に沿って付箋の片端を折り曲げ、あるいは切り離すことで付箋の粘着部を無効化し、次いでリング穴によって付箋そのものをシステム手帳や専用のファイルにファイリングできるようにした提案であるが、該提案は付箋紙の粘着機能とリング穴によるファイリング機能を共有する付箋紙の発明であって、本発明における筆記手帳にスケジュールや日付毎の記録が記載される機能や付箋紙ならびにメッセージカード等の情報伝達紙片が筆記手帳に綴じ込まれる情報伝達機能ならびにコミュニケーションツール機能を備える筆記手帳とは、構造的に異なるものであった。
【００１０】
また、付箋シートをファイリングによって集積して、ノートブックとして利用可能とする「付箋紙」（特許文献４）が提案されている。
【００１１】
しかしながら上記の「付箋紙」の提案は、付箋紙が複数の付箋シートの裏面に塗布された再剥離性粘着剤を介して積層され、この付箋シートは、上下方向に沿って形成されたミシン目と、このミシン目の外側に配置された糊代部と、ミシン目の内側に配置されて表面に文字などを記入可能なノート部とを有しており、この糊代部の裏面に再剥離性粘着剤が塗布されている一方、ノート部には、リングファイルのとじ具を挿通可能な複数の貫通孔が形成されている付箋紙の発明であるが、付箋シート自体が手帳部のスケジュールや日付毎の記録が記載される機能を有してミシン目と貫通穴によって取り外し可能とする提案であることから、従来のリング着脱式のリファイルの綴じ込み（背）側に糊代部を設けたリファイルの提案に過ぎず、本発明における筆記手帳にスケジュールや日付毎の記録が記載される機能や付箋紙ならびにメッセージカード等の情報伝達紙片が筆記手帳に綴じ込まれる情報伝達機能ならびにコミュニケーションツール機能を備える筆記手帳とは、構造的に異なるものであった。
【００１２】
また、多くの付箋をシステム手帳と一緒に持ち運びでき、システム手帳に挟んで携行しても付箋台紙から付箋が剥がれないようにすることを目的とする「付箋台紙及びこの付箋台紙を綴じ込んだシステム手帳」（特許文献５）が提案されている。
【００１３】
しかしながら上記の「付箋紙」の提案は、裏面に粘着部を有する透明の付箋を複数積層させて成る付箋積層体が少なくとも１つ以上基板に貼着されている付箋台紙であって、付箋の粘着部が裏側表面の５０〜９５％を占めるシステム手帳用の付箋台紙であり、使用に当たって付箋台紙を手帳に綴じ込んだ場合、手帳の厚みが分厚くなってコンパクト性ならびに携帯性に欠けると共に、付箋紙を平均的に使用していかなくては手帳の平坦性を欠くことになり、使用に際して煩わしさが伴うものであった。
【００１４】
本出願人は、現在普及している電子手帳が備える個人情報を多機能的に外部に発信することができる情報伝達機能に着目し、その情報伝達機能を筆記手帳において誰でもが簡単に利用できるアナログ的な手段で達成することができないものかという着想の下、付箋紙ならびにメッセージカード等の情報伝達紙片による情報伝達機能ならびにコミュニケーションツール機能を備える筆記手帳を開発し、本発明における「情報伝達機能ならびにコミュニケーションツール機能を備える筆記手帳」の提案に至るものである。
【先行技術文献】
【特許文献】
【００１５】
【特許文献１】公開実用新案昭６３-３９５７２号公報
【特許文献２】特開２００１-１５８１９０号公報
【特許文献３】実用新案登録第３１３７１３４号公報
【特許文献４】特開２００７-２８３５１８号公報
【特許文献５】特開２００６-１８８０３１号公報
【発明の開示】
【発明が解決しようとする課題】
【００１６】
本発明は上記問題点に鑑み、付箋紙ならびにメッセージカード等の情報伝達紙片によって情報伝達機能ならびにコミュニケーションツール機能を備える筆記手帳を提供することを課題とする。
【課題を解決するための手段】
【００１７】
上記課題を解決するため、本発明の情報伝達機能ならびにコミュニケーションツール機能を備える筆記手帳は、手帳部と表紙カバーからなる綴じ手帳ならびにシステム手帳の形態を有して形成され、前記手帳部は前記表紙カバーの高さ寸法を短小とする形状で綴じ込まれ、該短小としたスペースに前記情報伝達紙片が留め具によって綴じ込まれる手段を採る。
【００１８】
また、本発明の情報伝達機能ならびにコミュニケーションツール機能を備える筆記手帳は、前記情報伝達紙片が付箋紙で形成され、該綴じ込み（背）側には前記留め具で綴じられる綴じ穴を設けると共に、該綴じ穴付近の小口側に設けられる剥離性接着部を挟んで第一のミシン目と第二のミシン目を設けて切り離し可能とした手段を採る。
【００１９】
また、本発明の情報伝達機能ならびにコミュニケーションツール機能を備える筆記手帳は、前記情報伝達紙片がメッセージカードで形成され、該綴じ込み（背）側には前記留め具で綴じられる綴じ穴を設けると共に、該綴じ穴付近の小口側に切り離しスリットを挟んでファイリング穴を設けて切り離し可能とすると共に、表面にはメールアドレス、携帯電話番号、氏名等の個人情報記入欄が設けられ、裏面にはメッセージ記入欄ならびにマトリックス型二次元コードまたは写真画像が貼付される画像貼付欄を設けた手段を採る。
【００２０】
また、本発明の情報伝達機能ならびにコミュニケーションツール機能を備える筆記手帳は、前記筆記手帳の表紙カバーの表面に透明カバーで覆われる小窓口を形成し、該裏面には名刺入れならびに手帳部の見返しが挿入されるポケット口を其々設け、表紙カバーの裏面内側には手帳部の見返しならびに電子磁気カード等が挿入される複数のポケット口を形成した手段を採る。
【００２１】
また、本発明の情報伝達機能ならびにコミュニケーションツール機能を備える筆記手帳は、  前記筆記手帳における手帳部が省略されて形成されると共に、前記情報伝達紙片と前記表紙カバーからなる綴じ手帳ならびにシステム手帳の形態を有して形成され、前記情報伝達紙片を構成する付箋紙ならびにメッセージカードが前記表紙カバー内に複数設けられて、該表紙カバーに列設された綴込穴を介して各情報伝達紙片が留め具によって夫々綴じ込まれる手段を採る。
【発明の効果】
【００２２】
本発明の情報伝達機能ならびにコミュニケーションツール機能を備える筆記手帳によれば、筆記手帳の手帳部が筆記手帳全体を覆う表紙カバーの高さ寸法を短小とする形状で綴じ込まれ、該短小としたスペースに情報伝達紙片が留め具によって綴じ込まれることによって、手帳自体の厚みを増すことなくコンパクトに収納できるといった優れた効果を奏する。
【００２３】
また、本発明の情報伝達機能ならびにコミュニケーションツール機能を備える筆記手帳によれば、情報伝達機能が情報伝達紙片によって形成され、その具体的手段が付箋紙によって外部との情報伝達がなされることで、ビジネス時においては、業務の防忘録やメッセージのやり取りに書類やパソコンに貼り付けて使用できると共に、付箋紙自体を色分けて使用することによって、緊急度合、重要性、公私の仕分けなどを視覚的に使い分けることができるといった優れた効果を奏する。
【００２４】
また、本発明の情報伝達機能ならびにコミュニケーションツール機能を備える筆記手帳によれば、情報伝達機能が情報伝達紙片によって形成され、その具体的手段がメッセージカードによって交友関係との情報伝達がなされることで、合コンや趣味のサークルでの出会いの際の連絡方法をさりげなく相手に伝えることができるといったコミュニケーションツールとしてや、企業や団体の営業活動手段として利用できるといった優れた効果を奏する。
【００２５】
また、本発明の情報伝達機能ならびにコミュニケーションツール機能を備える筆記手帳によれば、表紙カバーにポケット口を複数設けることによって、キャッシングカード、定期券、保険証、免許証、身分証明証ならびに有名キャラクターや、ゆるキャラをあしらった観光お土産品などなどのカード入れケースとして多機能的に使用できるといった優れた効果を奏する。
【００２６】
また、本発明の情報伝達機能ならびにコミュニケーションツール機能を備える筆記手帳によれば、付箋紙やメッセージカード等の情報伝達紙片が筆記手帳内に複数綴じ込まれることによって、友達の輪のフォトアルバム手帳となったり、メッセージカードを友人に見せて紹介したり、スマートフォンなどの携帯電話を使って仲間間の連絡網コミュニケーションツールとして利用することができるといった優れた効果を奏する。
【図面の簡単な説明】
【００２７】
【図１】本発明における請求項１記載の情報伝達機能ならびにコミュニケーションツール機能を備える筆記手帳の実施形態を示す説明図である。（実施例１）
【図２】本発明における請求項２記載の情報伝達機能ならびにコミュニケーションツール機能を備える筆記手帳の実施形態を示す説明図である。（実施例２）
【図３】本発明における請求項３記載の情報伝達機能ならびにコミュニケーションツール機能を備える筆記手帳の実施形態を示す説明図である。（実施例３）
【図４】本発明における請求項４記載の情報伝達機能ならびにコミュニケーションツール機能を備える筆記手帳の実施形態を示す説明図である。（実施例４）
【図５】本発明における請求項５記載の情報伝達機能ならびにコミュニケーションツール機能を備える筆記手帳の実施形態を示す説明図である。（実施例５）
【発明を実施するための形態】
【００２８】
本発明の情報伝達機能ならびにコミュニケーションツール機能を備える筆記手帳１０は、付箋紙４１による情報伝達機能を備える共に、その情報伝達紙片４０が日常的に使用される手帳内において厚みを増すことなくコンパクトに収納することができると共に、メッセージカード５０によるコミュニケーションツール機能を備える手段を採ったことを最大の特徴とする。以下、本発明の実施形態を、図面に基づいて説明する。
【００２９】
尚、本発明における情報伝達機能ならびにコミュニケーションツール機能を備える筆記手帳１０は、以下に述べる実施例に限定されるものではなく、本発明の技術的思想の範囲内、すなわち同一の作用効果を発揮できる形状及び寸法の範囲内で、適宜変更することができる。
【実施例１】
【００３０】
図1は、本発明における請求項１記載の情報伝達機能ならびにコミュニケーションツール機能を備える筆記手帳の実施形態を示す説明図である。
本発明における情報伝達機能ならびにコミュニケーションツール機能を備える筆記手帳１０は、手帳部３０と表紙カバー２０からなる綴じ手帳ならびにシステム手帳の形態を有して形成される。
【００３１】
筆記手帳１０は、情報伝達紙片４０による情報伝達機能ならびにコミュニケーションツール機能を備える筆記用の手帳であって、手帳部３０と表紙カバー２０からなる綴じ手帳ならびにシステム手帳の形態を有して形成されている。該手帳部３０は、前記筆記手帳１０において表紙カバー２０の高さ寸法を短小とする形状で綴じ込まれており、その短小としたスペースには、情報伝達紙片４０が留め具２２によって綴じ込まれている。
【００３２】
表紙カバー２０は、手帳部３０と情報伝達紙片４０を覆う厚紙、合成樹脂、皮革等で形成され、情報伝達紙片４０が収められる箇所には綴込穴２３が形成されると共に、外部から留め具２２によって情報伝達紙片４０を綴じ込む構造で形成される。
【００３３】
留め具２２は、表紙カバー２０の綴込穴２３ならびに情報伝達紙片４０の綴じ穴４２に挿入される合成樹脂製の弾力復元力を有する平板リングで形成される。
【００３４】
手帳部３０は、筆記具２１で記録される冊子状の紙製綴じ体であって、表紙カバー２０の高さ寸法に対して略１５％程度短小に縮小されて形成される。
【００３５】
情報伝達紙片４０は、付箋紙４１や、メッセージカード５０のほかに自己紹介カード５０ａ、メモ紙５７、暗記カード、トレーディングカード、コレクションカード、趣味紹介カード、栞、絵葉書カード等によって形成され、筆記手帳１０の留め具２２によって綴じられ、さらに第一ミシン目４４、第二ミシン目４５ならびに切り離しスリット５１によって切り離されて使用される。
【００３６】
以上で構成される請求項１の情報伝達機能ならびにコミュニケーションツール機能を備える筆記手帳１０は、スケジュールや日付毎の記録が手帳部３０に記載される機能や、付箋紙４１ならびにメッセージカード５０等の情報伝達紙片４０によって筆記手帳１０に綴じ込まれる情報伝達機能ならびにコミュニケーションツール機能を備えると共に、手帳部３０が表紙カバー２０の高さ寸法を短小とする形状で綴じ込まれ、該短小としたスペースに情報伝達紙片４０が留め具２２によって綴じ込まれるため、手帳自体の厚みを増すことなくコンパクトに収納することができる形状で形成される。
【実施例２】
【００３７】
図２は、本発明における請求項２記載の情報伝達機能ならびにコミュニケーションツール機能を備える筆記手帳の実施形態を示す説明図であり、図２（ａ）は付箋紙４１の全体斜視図を示し、図２（ｂ）は付箋紙４１の正面図を示す。
本発明における情報伝達機能ならびにコミュニケーションツール機能を備える筆記手帳１０は、情報伝達紙片４０が付箋紙４１で形成され、該綴じ込み（背）側は留め具２２で綴じられて形成される。
【００３８】
付箋紙４１は、綴じ込み（背）側に留め具２２で綴じられる綴じ穴４２を設けると共に、該綴じ穴４２付近の小口側に設けられる剥離性接着部４３を挟んで第一のミシン目４４と第二のミシン目４５を設けて切り離し可能に形成される。また、色分けにすることによって使用する用途に合わせることができると共に、補充用の付箋紙４１から少しづつ小分けして綴じ込むことによって、手帳自体の厚みを増すことなく綴じ込むことができると共に、携帯性が確保される形状で形成される。
【００３９】
綴じ穴４２は、筆記手帳１０の綴じ込み（背）側から嵌められる留め具２２によって綴じ込められる長穴形状を有して形成される。該綴じ穴４２が長穴形状であることによって、付箋紙４１が上下にズレないで安定的に綴じ込まれる役目を果たす。
【００４０】
第一のミシン目４４は、付箋紙４１が剥離性接着部４３を連結した状態で切り離される切断部で、そのミシン目の歯長さと止め長さの形状は、第二のミシン目４５と比較して切り離ししやすいように、歯長さを長めに設定して形成される。
【００４１】
第二のミシン目４５は、付箋紙４１の剥離性接着部４３が連結しないメモ紙５７状態で切り離される切断部で、そのミシン目の歯長さと止め長さの形状は、第一のミシン目４４と比較して切り離し難いように、歯長さを短めに設定して形成される。
【００４２】
図２（ｃ）は付箋紙仕様の状態で切り離される状態を示し、図２（ｄ）はメモ紙５７仕様の状態で切り離される状態を示す。
上記における第一のミシン目４４ならびに第二のミシン目４５の機能は、第一のミシン目４４を切り離すことによって、貼って剥がせる機能を必要とする付箋紙４１仕様と、第二のミシン目４５を切り離すことによって、剥離性接着機能を必要としないメモ紙５７仕様とに分けて使用することができるものである。
【００４３】
以上で構成される請求項２の情報伝達機能ならびにコミュニケーションツール機能を備える筆記手帳１０は、情報伝達機能ならびにコミュニケーションツール機能が情報伝達紙片４０によって形成され、その具体的手段が付箋紙４１によって外部との情報伝達がなされることで、ビジネス時においては、業務の防忘録としてやメッセージのやり取りに書類やパソコンに貼り付けて使用できると共に、付箋紙４１自体を色分けて使用することによって、緊急度合、重要性、公私の仕分けなどにおいて視覚的に使い分けることができる。
【実施例３】
【００４４】
図３は、本発明における請求項３記載の情報伝達機能ならびにコミュニケーションツール機能を備える筆記手帳の実施形態を示す説明図であり、図３（ａ）はメッセージカード５０の全体斜視図を示し、図３（ｂ）はメッセージカード５０の正面図を示し、図３（ｃ）はメッセージカード５０の背面図を示し、図３（ｄ）はメッセージカード５０の切り離し状態を示す。
本発明における情報伝達機能ならびにコミュニケーションツール機能を備える筆記手帳１０は、情報伝達紙片４０がメッセージカード５０で形成され、該綴じ込み（背）側は留め具２２で綴じられて形成される。
【００４５】
メッセージカード５０は、綴じ込み（背）側に留め具２２で綴じられる綴じ穴５３を設けると共に、該綴じ穴５３付近の小口側に切り離しスリット５１を挟んでファイリング穴５２を設けて切り離し可能となっている。また、該メッセージカード５０の表面には、メールアドレス、携帯電話番号、氏名等の個人情報記入欄５４が設けられ、裏面にはメッセージ記入欄５５ならびにマトリックス型二次元コードまたは写真画像が貼付される画像貼付欄５６を設けて形成される。
【００４６】
さらに、メッセージカード５０は、単体で使用することができるものであり、図５（ｂ）に示すように別添の留め具２２で綴じて携帯することができると共に、本発明の情報伝達機能ならびにコミュニケーションツール機能を備える筆記手帳１０を所持しない人であっても、合コンや趣味の出会いの場で自己紹介カード５０ａとして使用したり、友達自慢や友達同士の輪を広げるコミュニケーションツールとして利用することができるものである。また別添の留め具２２で綴じて、有名キャラクターやゆるキャラをあしらった観光お土産品などとしても利用できる。
【００４７】
切り離しスリット５１は、ミシン目より端麗に切り離すことができる歯長さが止め長さより極端に長いスリット状に設けられるもので、メッセージカード５０を必要とするその場で筆記手帳１０の留め具２２から切り離して使用することができる。
【００４８】
ファイリング穴５２は、コミュニケーションツール機能を備える筆記手帳１０の留め具２２に綴じられる機能と、相手の綴じリングに留められる機能を共有する形状を有して形成される。
【００４９】
個人情報記入欄５４は、相手に伝達したい個人的なメッセージを記入する欄で、筆記具２１を使って予め記入しておくことができると共に、出会いのその場で即記入することができる。
【００５０】
画像貼付欄５６は、マトリックス型二次元コード、所謂ＱＲコード（登録商標）や、個人の写真、プリクラ写真などが貼付される欄で、本人が運営するホームページサイトやツイッターやブログへのアクセスを携帯電話の画像認識機能で通信可能とすると共に、本人の顔認識ができるものである。
【００５１】
以上で構成される請求項３の情報伝達機能ならびにコミュニケーションツール機能を備える筆記手帳１０は、情報伝達機能が情報伝達紙片４０によって形成され、その具体的手段がメッセージカード５０によって交友関係などの間で親しく情報交換されることで、合コンや趣味のサークルでの出会いの際の連絡方法をさりげなく相手に告げることができるコミュニケーションツール機能を備える。
【実施例４】
【００５２】
図４は、本発明における請求項４記載の情報伝達機能ならびにコミュニケーションツール機能を備える筆記手帳の実施形態を示す説明図である。
本発明における情報伝達機能ならびにコミュニケーションツール機能を備える筆記手帳１０は、表紙カバー２０の表面に透明カバーで覆われる小窓口２４を形成し、該裏面には名刺入れならびに手帳部３０の見返し部３１が挿入されるポケット口２５を其々設け、表紙カバー２０の裏面内側には手帳部３０の見返し部３１ならびに電子磁気カード等が挿入される複数のポケット口２５が形成される。
【００５３】
以上で構成される請求項４の情報伝達機能ならびにコミュニケーションツール機能を備える筆記手帳１０は、表紙カバー２０にポケット口２５を複数設けることによって、キャッシングカード、定期券、保険証、免許証、身分証明証ならびに有名キャラクターやゆるキャラをあしらった観光お土産品などのカード入れケースとして、多機能的に使用できる。
【実施例５】
【００５４】
図５は、本発明における請求項５記載の情報伝達機能ならびにコミュニケーションツール機能を備える筆記手帳の実施形態を示す説明図であり、図５（ａ）は筆記手帳１０の全体斜視図を示す。
本発明における情報伝達機能ならびにコミュニケーションツール機能を備える筆記手帳１０は、手帳部３０が省略されて形成されると共に、情報伝達紙片４０と表紙カバー２０からなる綴じ手帳ならびにシステム手帳の形態を有して形成されている。そして、該情報伝達紙片４０を構成する付箋紙４１ならびにメッセージカード５０が表紙カバー２０内に複数設けられて、該表紙カバー２０に列設された綴込穴２３を介して各情報伝達紙片４０が留め具２２によって夫々綴じ込まれる。
【００５５】
また、表紙カバー２０のポケット口２５に手帳部３０の見返し部３１を差し込むことで、綴じ手帳ならびにシステム手帳として利用することも可能である。
【００５６】
以上で構成される請求項５の情報伝達機能ならびにコミュニケーションツール機能を備える筆記手帳１０は、情報伝達紙片４０を構成する付箋紙４１ならびにメッセージカード５０を表紙カバー２０内に複数設けることで、友達の輪のフォトアルバム手帳となったり、メッセージカード５０を友人に見せて紹介したり、スマートフォンなどの携帯電話を使って仲間間の連絡網コミュニケーションツールとしてや、企業や団体の営業活動手段として利用することができる。
【００５７】
図５（ｂ）は、メッセージカード５０を単体で使用する場合の全体斜視図を示す。
本発明の情報伝達機能ならびにコミュニケーションツール機能を備える筆記手帳１０を構成するメッセージカード５０は、本発明の情報伝達機能ならびにコミュニケーションツール機能を備える筆記手帳１０を所持しない人であっても、合コンや趣味の出会いの場でメッセージカード５０を単体で自己紹介カード５０ａとして使用したり、友達自慢や友達同士の輪を広げるコミュニケーションツールとして利用することができる。
【産業上の利用可能性】
【００５８】
本発明における情報伝達機能ならびにコミュニケーションツール機能を備える筆記手帳１０は、従来の手帳部３０と筆記具２１における筆記機能に加えて付箋紙４１とメッセージカード５０による外部との情報伝達機能が備わることで、ビジネスならびにアフター５において従来にない情報伝達機能とコミュニケーションツール機能を備えることから、本発明における「情報伝達機能ならびにコミュニケーションツール機能を備える筆記手帳」の産業上の利用可能性は極めて大であるものと解する。
【符号の説明】
【００５９】
１０    筆記手帳
２０    表紙カバー
２１    筆記具
２２    留め具
２３    綴込穴
２４    小窓口
２５    ポケット口
２６    留めバンド
３０    手帳部
３１    見返し部
４０    情報伝達紙片
４１    付箋紙
４２    綴じ穴
４３    剥離性接着部
４４    第一のミシン目
４５    第二のミシン目
５０    メッセージカード
５０ａ  自己紹介カード
５１    切り離しスリット
５２    ファイリング穴
５３    綴じ穴
５４    個人情報記入欄
５５    メッセージ記入欄
５６    画像貼付欄
５７    メモ紙
【要約】
【課題】付箋紙ならびにメッセージカード等の情報伝達紙片によって情報伝達機能ならびにコミュニケーションツール機能を備える筆記手帳の提供を図る。
【解決手段】本発明における情報伝達機能ならびにコミュニケーションツール機能を備える筆記手帳は、手帳部と表紙カバーからなる綴じ手帳ならびにシステム手帳の形態を有して形成され、手帳部を表紙カバーの高さ寸法を短小とする形状とし、該短小としたスペースに付箋紙ならびにメッセージカード等から成る情報伝達紙片が留め具によって綴じ込まれることで、その情報伝達紙片によって情報伝達機能ならびにコミュニケーションツール機能を備える共に、その情報伝達紙片が日常的に使用される手帳内において厚みを増すことなくコンパクトに収納することができる手段を採る。
【選択図】図１【図１】
0005383894.tif 000002
【図２】
0005383894.tif 000003
【図３】
0005383894.tif 000004
【図４】
0005383894.tif 000005
【図５】
0005383894.tif 000006